(57)【要約】  【課題】  大量で汚れ具合が強く、小人数による洗浄作業では一向に作業が進まない被洗浄物の洗浄に好適な新規な構造の洗浄システム、およびそれに用いる新規な構造の回転型洗浄機、ならびに新規な構成からなるスーパーカゴの洗浄方法を提供する。  【解決手段】  高圧水ノズル、回転ブラシ等を有する予備洗浄機７、および水平軸心周りに回転バランスの取れた配置となる三箇所以上に、各々所定量の被洗浄物Ｂを格納可能とした洗浄籠５を回動し得るよう配し、回転駆動源と洗浄液供給源６とを配設した回転型洗浄機２、ならびに濯ぎ・脱水・乾燥機８を順次、配置させた洗浄システム１である。【選択図】    図１ 
2005052783.tif 000002
【特許請求の範囲】
【請求項１】
洗浄液を噴射する高圧水ノズルおよび／または回転ブラシ等を有し、被洗浄物に付着した汚れや塵埃等を簡易的に除去する予備洗浄機、および、水平軸心周りであって、夫々が共に軸心から所定距離を置いた位置にあり、且つ互いの位置関係が回転バランスの取れた配置となるようにした三箇所以上の複数箇所に、何れもが水平軸心周りに回動し得ると共に、各々所定量の被洗浄物を格納可能とした洗浄籠を配し、各洗浄籠を該水平軸心周りに回転駆動可能な回転駆動源と、該水平軸心の真下方向に移動した際の洗浄籠を液面下に没しさせ得るだけの量の洗浄液を供給可能とする洗浄液供給源とを配設すると共に、回転駆動される洗浄籠に対して濯ぎ液を供給して濯ぎ洗い可能とする給液源と、各洗浄籠に温風を吹き付けて乾燥可能とする温風供給源とを設けた回転型洗浄機を、順次手際良く被洗浄物を移動させながら、予備洗浄、本洗浄、濯ぎ、脱水、乾燥の各工程を実行可能とする如く配置させてなることを特徴とする洗浄システム。
【請求項２】
洗浄液を噴射する高圧水ノズルおよび／または回転ブラシ等を有し、被洗浄物に付着した汚れや塵埃等を簡易的に除去する予備洗浄機、および、水平軸心周りであって、夫々が共に軸心から所定距離を置いた位置にあり、且つ互いの位置関係が回転バランスの取れた配置となるようにした三箇所以上の複数箇所に、何れもが水平軸心周りに回動し得ると共に、各々所定量の被洗浄物を格納可能とした洗浄籠を配し、各洗浄籠を該水平軸心周りに回転駆動可能な回転駆動源と、該水平軸心の真下方向に移動した際の洗浄籠を液面下に没しさせ得るだけの量の洗浄液を供給可能とする洗浄液供給源とを配設した回転型洗浄機、ならびに、軸心周りであって、夫々が共に軸心から所定距離を置いた位置にあり、且つ互いの位置関係が回転バランスの取れた配置となるようにした三箇所以上の複数箇所に、何れもが軸心周りに回動し得ると共に、各々所定量の被洗浄物を格納可能とした脱水籠を配し、各脱水籠を濯ぎ洗いおよび脱水可能な回転数で該軸心周りに回転駆動可能な回転駆動源と、回転駆動される脱水籠に対して濯ぎ液を供給して濯ぎ洗い可能とする給液源とを設け、各脱水籠に温風を吹き付けて乾燥可能とする温風供給源を設けた濯ぎ・脱水・乾燥機を順次、予備洗浄機、回転型洗浄機、濯ぎ・脱水・乾燥機の順に、手際良く被洗浄物を移動させながら予備洗浄、本洗浄、濯ぎ、脱水、乾燥の各工程を実行可能とする如く配置させてなることを特徴とする洗浄システム。
【請求項３】
スーパーカゴの底面、内壁面、外壁面を押し付け可能な縦型回転ブラシおよび横型回転ブラシと、スーパーカゴと各ブラシとの接触部分に洗浄液を供給可能な洗浄液供給源とを有するブラシ掛け予備洗浄機、被洗浄物であるスーパーカゴを保持して回転、駆動可能な回転駆動源、および高圧水を吹き付けてスーパーカゴの内外側に付着した汚れや塵埃等を簡易的に吹き飛ばす高圧水ノズルを有する水圧予備洗浄機、および、水平軸心周りであって、夫々が共に軸心から所定距離を置いた位置にあり、且つ互いの位置関係が回転バランスの取れた配置となるようにした三箇所以上の複数箇所に、何れもが水平軸心周りに回動し得ると共に、各々所定量のスーパーカゴを格納可能とした洗浄籠を配し、各洗浄籠を該水平軸心周りに回転駆動可能な回転駆動源と、該水平軸心の真下方向に移動した際の洗浄籠を液面下に没しさせ得るだけの量の洗浄液を供給可能とする洗浄液供給源と配設すると共に、回転駆動される洗浄籠に対して高圧水を吹き付けて濯ぎ洗い可能とする高圧水ノズルと、各洗浄籠に温風を吹き付けて乾燥可能とする温風供給源とを設けた回転型洗浄機を夫々順次、ブラシ掛け予備洗浄機、水圧予備洗浄機、回転型洗浄機の順に手際良くスーパーカゴを移動させながら、ブラシ掛け予備洗浄、水圧予備洗浄、本洗浄、濯ぎ、脱水、乾燥の各工程を実行可能とする如く配置させてなることを特徴とする洗浄システム。
【請求項４】
水密状とした洗浄浴室内には、その底面上所定高さ位置に略水平状に回転支軸を配設、支持した上、該回転支軸周りであって、夫々が共に軸心から所定距離を置いた位置にあり、且つ互いの位置関係が回転バランスの取れた配置となるようにした三箇所以上の複数箇所に、何れもが当該回転支軸に支持されて同回転支軸の軸心周りに回動し得ると共に、各々所定量の被洗浄物を格納可能とした洗浄籠を配したものとする一方、各洗浄籠を正逆回転可能と共にその回転数を可変調節可能とする回転駆動源と、回転支軸の真下方向に移動した際の洗浄籠を液面下に没しさせ得るだけの量の洗浄液を供給可能とする洗浄液供給源とを、夫々洗浄浴室外適所に配設してなる、請求項１ないし３何れか一項記載の洗浄システムに用いる回転型洗浄機。
【請求項５】
底面、天面およびその間の周囲壁面の全方位を水密状とした洗浄浴室内には、その底面上所定高さ位置に略水平状に回転支軸を配設、固定状または回転自在に支持した上、該回転支軸周りであって、夫々が共に軸心から所定距離を置いた位置にあり、且つ互いの位置関係が回転バランスの取れた配置となるようにした三箇所以上の複数箇所に、固定状の回転支軸に対しては回転自在に、または回転自在な回転支軸に対しては一体的に、各々所定量の被洗浄物を格納可能にした洗浄籠を配したものとする一方、各洗浄籠を回転支軸の軸心周りに正逆回転可能、且つその回転数を可変調節可能とする回転駆動源と、回転支軸の真下方向に移動した際の洗浄籠を液面下に没しさせ得るだけの量の洗浄液を供給可能とする洗浄液供給源とを、夫々洗浄浴室外適所に配設した上、当該回転支軸の上方に移動した洗浄籠に対応する洗浄浴室の壁面適所には、被洗浄物を出し入れ可能で水密構造となる開閉扉付きの投入口を設けてなる、請求項１ないし３何れか一項記載の洗浄システムに用いる回転型洗浄機。
【請求項６】
底面、天面およびその間の周囲壁面の全方位を水密状とした洗浄浴室内には、その底面上所定高さ位置に略水平状に回転支軸を配設、支持した上、該回転支軸周りを等分割して回転バランスの取れるようにした配置で、夫々が軸心から一定距離を置いてなる三箇所以上の複数箇所に、何れもが当該回転支軸に支持されて同回転支軸と一体に回動し得ると共に、各々所定量の被洗浄物を格納し得るようにした洗浄籠を配したものとする一方、当該回転支軸を正逆回転可能と共にその回転数を可変調節可能とする回転駆動源と、回転支軸の真下方向に移動した際の洗浄籠を液面下に没しさせ得るだけの量の洗浄液を供給可能とする洗浄液供給源とを、夫々洗浄浴室外適所に配設した上、当該回転支軸の上方に移動した洗浄籠に対応する洗浄浴室の壁面適所には、被洗浄物を出し入れ可能で水密構造となる開閉扉付きの投入口を設けてなる、請求項１ないし３何れか一項記載の洗浄システムに用いる回転型洗浄機。
【請求項７】
底面、天面およびその間の周囲壁面の全方位を水密状とした洗浄浴室内には、その底面上所定高さ位置に略水平状に回転支軸を配設、支持した上、該回転支軸周りを等分割して回転バランスの取れるようにした配置で、夫々が軸心から一定距離を置いてなる三箇所以上の複数箇所に、何れもが当該回転支軸に支持されて同回転支軸と一体に回動し得ると共に、各々所定量の被洗浄物を格納し得るようにした洗浄籠を配したものとする一方、当該回転支軸を正逆回転可能と共にその回転数を可変調節可能とする回転駆動源と、回転支軸の真下方向に移動した際の洗浄籠を液面下に没しさせ得るだけの量の洗浄液を供給可能とする洗浄液供給源とを、夫々洗浄浴室外適所に配設し、回転駆動される洗浄籠に対して高圧水を吹き付けて濯ぎ洗い可能とする高圧水ノズルを洗浄浴室内天面付近に設け、各洗浄籠に温風を吹き付けて乾燥可能とする温風供給源を洗浄浴室外の適所に設けた上、当該回転支軸の上方に移動した洗浄籠に対応する洗浄浴室の壁面適所には、被洗浄物を出し入れ可能で水密構造となる開閉扉付きの投入口を設けてなる、請求項１ないし３何れか一項記載の洗浄システムに用いる回転型洗浄機。
【請求項８】
各洗浄籠は、スタッキングされた一定数のスーパーカゴが、同スーパーカゴの開口部を、回転支軸の軸心における遠心方向に向けて収容されるようにした、請求項４ないし７何れか一項記載の回転型洗浄機。
【請求項９】
洗浄液供給源が、洗浄浴室に供給する洗浄液を６０℃前後まで加熱可能な洗浄液加熱装置、および、洗浄浴室の底面付近から回収した洗浄液中の塵埃類を除去して再度洗浄浴室内に供給するという再生利用を繰り返す循環型濾過装置を設けてなるものとした、請求項４ないし８何れか一項記載の回転型洗浄機。
【請求項１０】
洗浄液供給源は、６０℃前後まで加熱した洗浄液を供給可能とする噴射ノズルが、洗浄浴室天面付近の少なくとも一箇所に設けられ、回転する各洗浄籠に向けて洗浄液を所定圧力で噴射可能なものとした、請求項４ないし９何れか一項記載の回転型洗浄機。
【請求項１１】
予備洗浄機の洗浄液を噴射する高圧水ノズルおよび／または回転ブラシ等を用いてスーパーカゴ内外側面に洗浄液を吹き付け、回転ブラシを押し付ける等して表面に付着した汚れや塵埃等を簡易的に除去して予備洗浄を行い、回転型洗浄機の洗浄浴室内における三箇所以上の各洗浄籠に順次、一定数のスーパーカゴをスタッキングさせた状態で収容し、各洗浄籠が回転支軸周りに回転バランスの取れた状態とし、洗浄液供給源により、回転軸の真下方向に移動した洗浄籠を、液面下に没しさせ得るだけの量の洗浄液を供給した後に、回転駆動源によって各洗浄籠を回転支軸周りに正逆回転を適宜織り交ぜるよう、適宜速度で所定時間に渡り連続的に回転駆動させることにより、スーパーカゴを洗浄液面に打ち付ける運動と、各洗浄籠の回転支軸周り回転によって攪拌状に流動する洗浄液中を強制的に移動させる際に生じる液中摩擦力とを発生させ、各スーパーカゴに対して全方位から洗浄液を強く接触させるようにして本洗浄を行い、その後に、適宜濯ぎ、脱水、乾燥を施して複数のスーパーカゴを洗浄可能となるようにしたことを特徴とする、請求項１ないし３何れか一項記載の洗浄システムを用いたスーパーカゴの洗浄方法。
【請求項１２】
ブラシ掛け予備洗浄機の縦型回転ブラシおよび横型回転ブラシの夫々に洗浄液を吹き付けながら、スーパーカゴの底面、内壁面、外壁面を順次押し付けるようにしてブラシ洗浄を行った後、水圧予備洗浄機を用いた高圧水の吹き付けにより、スーパーカゴの内外側に付着した汚れや塵埃等を簡易的に洗い流し、その次に洗浄浴室内の三箇所以上の各洗浄籠に順次、一定数のスーパーカゴをスタッキングさせた状態で収容し、各洗浄籠が回転支軸周りに回転バランスの取れた状態とし、洗浄液供給源により、回転支軸の真下方向に移動させた洗浄籠を、液面下に没しさせ得るだけの量の４０℃ないし６０℃前後、望ましくは６０℃程度に温度設定された塩素系の洗浄液を供給した後に、回転駆動源によって各洗浄籠を回転支軸の軸心周りに正逆回転を適宜織り交ぜるよう、毎分３５回転程度か、それ以下の回転数で最も良好な洗浄効果が得られる速度で５分ないし２０分間前後、望ましくは１０分間程度に渡り連続的に回転駆動させることにより、スーパーカゴを洗浄液面に打ち付ける運動と、各洗浄籠の回転支軸周り回転によって攪拌状に流動する洗浄液中を強制的に移動させる際に生じる液中摩擦力とにより、各スーパーカゴに対して全方位から洗浄液を強く接触させるようにして本洗浄を行い、同回転型洗浄機洗浄浴室内の洗浄液を排出するか、あるいは各スーパーカゴを濯ぎ・脱水・乾燥機に移し替えるかして水または６０℃以下の温水を吹き付けながら回転支軸周りに回転駆動させて洗浄液を濯ぎ落とした後に、各スーパーカゴを回転支軸周りに毎分１４０〜２１０回転程度の範囲内で約１分間に渡り、回転駆動させて脱水を行い、最後に毎分３５回転程度か、それ以下の回転数で回転させながら６０゜以下の温風を吹き付けて強制乾燥させることにより、複数のスーパーカゴを洗浄可能となるようにしたことを特徴とする、請求項１ないし３何れか一項記載の洗浄システム用いたスーパーカゴの洗浄方法。                                      
【発明の詳細な説明】
【技術分野】
【０００１】
この発明は、一般に比較的大量に生産あるいは利用される物品であり、機械部品や電子部品類、または収穫された農産物や魚介類等の外、大量の日曜雑貨あるいは不特定多数の人々によって繰り返し使用される物品等の被洗浄物を迅速且つ効果的に洗浄可能とする洗浄技術に関するものであって、その洗浄システムに係わる分野の外、それに使用する洗浄機をはじめとして乾燥機、水槽等を作り出す旋盤、タレット旋盤、ボール盤、中ぐり盤、平削り盤、形削り盤、立て削り盤、フライス盤、ホブ盤、歯車形削り盤、ＮＣ工作機械およびマシニングセンター等に代表される各種工作機械に関連するあらゆる分野、即ち、機械加工の分野は固よりのこと、それら加工機械の各種パーツおよびそのための金属材料、プラスチック等各種素材の分野、それらに組み込まれる電子分品やそれらを集積した制御機器の分野、各種計測器の分野、加工機械を動かす動力機械の分野、そのエネルギーとなる電力やエネルギー源である電気、オイルの分野といった一般的に産業機械として総称される分野に包含されている分野から、それら機器を試験、展示、販売、輸出入、ならびに使用する分野、将又、それら機器の稼動に伴って発生する廃液を回収、運搬する回収、輸送の分野、廃液を効率的に再生利用するリサイクル分野、あるいは現時点で想定できないものの関連してくるであろう新たな分野までと、関係しない技術分野はない程である。                                                                                            
【背景技術】
【０００２】
（視  点）
近年、中心市街地周辺に広大な無料駐車場を備え、大型スーパーマーケットやホームセンターを核とし、書店、酒店、靴店、眼鏡店、レストラン等の各種専門店をサブテナントとして配した郊外型のショッピングモールや、あるいは都市中心やその周辺の再開発ビル内に出店した商業集積型の大型商業施設等、市街地周辺の開発、および都心部の再開発によって周辺住民はもとより、遠方からの集客力にも秀れた商業施設が相次いで開発され、商圏の拡大と消費の活性化に大いに貢献するものとなっている。
【０００３】
このように店舗の大型化が進むに従い、スーパーマーケットやホームセンター等で使用されるスーパーカゴの一店舗当りに利用される個数も増大し、その使用頻度も一段と多くなっており、また、スーパーマーケットで使用されるスーパーカゴには、生鮮食料品である食肉類、魚介類等の脂や、加工食品のパックから漏れた果汁や煮汁等の付着があり、また、ホームセンターで使用されたスーパーカゴには、腐葉土や肥料等の園芸用品から漏れる土や粉、あるいは鉢植えの泥等、様々な汚れが付着し、それらに起因する黴も発生してしまうので何れの場合にも比較的、頻繁に洗浄することが必要となる。
【０００４】
一般的に、スーパーカゴを洗浄する場合には、大量の水を溜めて洗浄剤を入れ、その中に複数個のスーパーカゴを投入してしばらくの間浸け込んだ後、スーパーカゴの一個ずつに部分的に残った黴や油等の汚れを、洗浄ブラシ等を使った手作業により、個別に洗い落とし、更に洗剤を清水で濯ぎ落とし、可能であれば圧縮エアを吹き付ける等して水滴を吹き飛ばして自然乾燥させるという大変手間の掛る作業を、複数個のスーパーカゴに対して繰り返し行わなければならず、大型店舗の運営において大きな負担となっていた。
【０００５】
（従来の技術）
このような大量のスーパーカゴの洗浄作業を比較的簡便且つ効率的に行う技術としては、例えば実開平７−３７９２３号公報に開示された「スーパーカゴ」考案のように、ベース樹脂１００重量部に対し、ジメチルポリシロキサン０．１ないし５重量部を添加してなる樹脂で成型され、表面に各種の汚れが付着しにくく、通常の洗浄により容易に汚れを除去でき、洗浄頻度を半減できるようにしたもの等が既に開発されているものの、これらはスーパーカゴ自体の改良であり、従前から使用されているスーパーカゴの清浄作業性を改善できるものではなかった。
【０００６】
他方、既存のスーパーカゴの洗浄性を向上させる技術として、登録実用新案第３０５９８２６号公報に提案のある「カゴの自動洗浄装置」考案に散見されるように、複数重ねたスーパーカゴを搬入可能な搬入口を形成し、下部に洗浄液の貯溜部を有する洗浄槽を設け、搬入されたスーパーカゴを一個ずつカゴ支持手段に供給可能な受け渡し手段、および貯溜部と上部空間との間でカゴ支持手段を移動可能な周回移動手段を設け、上部空間の適所に、周回移動するカゴに水を吹き付ける水噴射手段、ならびに、加熱空気を吹き付ける加熱空気噴射手段を配置し、スーパーカゴを洗浄槽外に搬出する搬出手段を設けてなり、投入された複数のスーパーカゴを順次、自動的に洗浄液中に投入、浸漬させ、洗浄槽内壁に沿って移動させた後に上部空間に引き上げ、水噴射手段によって洗浄液を濯ぎ落とし、加熱空気噴射手段を用いて乾燥させた後に、洗浄済みのスーパーカゴを搬出手段が順次、洗浄槽外に搬出するようにしたもの等も見受けられる。
【０００７】
しかし、この既存の「カゴの自動洗浄装置」考案についても、スーパーカゴを洗浄液中に浸漬させ、洗浄液の洗浄力によって汚れを除去するという従前までの基本的な技術的思想を踏襲するものであり、洗浄液から引き上げたスーパーカゴに水噴射手段による水の吹き付けが行われるものの、頑固に付着した油汚れや黴等を迅速に洗浄、除去できるとは限らず、強固な汚れを完全に除去するには、周回移動手段の移動速度を大幅に遅らせて洗浄液中への浸漬時間を延長させるか、あるいは、洗浄を終えて搬出されたスーパーカゴに対し、洗浄ブラシやスポンジ等を用いた手作業による洗浄作業を行わなければならず、しかも密閉状の洗浄槽内でスーパーカゴを、受渡し手段から周回移動手段へ受け渡す作業や、カゴ支持手段のスーパーカゴを支持する機構等、比較的複雑な装置構造や自動作業が不可欠なため、万が一、スーパーカゴの脱落等の予期せぬ事態が一旦起きてしまうと、大掛かりな分解、取出し作業が必要となってしまう虞れがあり、予め装置全体に高度の技術水準が求められることになる等、どうしても高価なものについてしまうことになった。
【０００８】
【特許文献１】（1）実開平７−３７９２３号公報  （2）登録実用新案第３０５９８２６号公報
【発明の開示】
【発明が解決しようとする課題】
【０００９】
（問題意識）
この発明は、以上のように、これまで相次いで開発されてきた、汚れの付き難い「スーパーカゴ」や、略全自動で複数個のスーパーカゴを洗浄できる「カゴの自動洗浄装置」等は、スーパーカゴの新規購入や買い替えが必要であったり、汚れの強いスーパーカゴを洗浄する場合に、洗浄の前か後に手作業によるブラシ掛け洗浄が必要となる等、何れも満足のいく結果が得られるものではなかった等、多くの課題が残されたままとなっていた。
【００１０】
（発明の目的）
そこで、小人数の作業者でも効率的に短時間の中に大量のスーパーカゴを洗浄でき、しかも頑固な汚れも悉く除去できる洗浄技術を実現させることはできないものかとの判断から、逸速くその開発、研究に着手し、長期に渡る試行錯誤と幾多の試作、実験とを繰り返してきた結果、遂にここに来て、この発明では、特に、大量で汚れ具合が強く、小人数による洗浄作業では一向に作業が進まない被洗浄物の洗浄に都合のよい新規な構造の洗浄システム、およびそれに用いる新規な構造の回転型洗浄機、ならびに新規な構成からなるスーパーカゴの洗浄方法を実現化することに成功したものであり、以下では、図面に示すこの発明を代表する実施例と共に、その構成を詳述することとする。                                    
【課題を解決するための手段】
【００１１】
（発明の構成）
図面に示すこの発明を代表する実施例からも明確に理解されるように、この発明に包含される洗浄システムは、基本的に次のような構成から成り立っている。                  即ち、洗浄液を噴射する高圧水ノズルおよび／または回転ブラシ等を有し、被洗浄物に付着した汚れや塵埃等を簡易的に除去する予備洗浄機、および、水平軸心周りであって、夫々が共に軸心から所定距離を置いた位置にあり、且つ互いの位置関係が回転バランスの取れた配置となるようにした三箇所以上の複数箇所に、何れもが水平軸心周りに回動し得ると共に、各々所定量の被洗浄物を格納可能とした洗浄籠を配し、各洗浄籠を該水平軸心周りに回転駆動可能な回転駆動源と、該水平軸心の真下方向に移動した際の洗浄籠を液面下に没しさせ得るだけの量の洗浄液を供給可能とする洗浄液供給源とを配設すると共に、回転駆動される洗浄籠に対して高圧水を吹き付けて濯ぎ洗い可能とする高圧水ノズルと、各洗浄籠に温風を吹き付けて乾燥可能とする温風供給源とを設けた回転型洗浄機を、順次手際良く被洗浄物を移動させながら、予備洗浄、本洗浄、濯ぎ、脱水、乾燥の各工程を実行可能とするよう配置してなるものとした構成を要旨とする洗浄システムである。
【００１２】
この基本的な構成を換言するならば、洗浄液を噴射する高圧水ノズルおよび／または回転ブラシ等を有し、被洗浄物に付着した汚れや塵埃等を簡易的に除去する予備洗浄機、および、水平軸心周りであって、夫々が共に軸心から所定距離を置いた位置にあり、且つ互いの位置関係が回転バランスの取れた配置となるようにした三箇所以上の複数箇所に、何れもが水平軸心周りに回動し得ると共に、各々所定量の被洗浄物を格納可能とした洗浄籠を配し、各洗浄籠を該水平軸心周りに回転駆動可能な回転駆動源と、該水平軸心の真下方向に移動した際の洗浄籠を液面下に没しさせ得るだけの量の洗浄液を供給可能とする洗浄液供給源とを配設した回転型洗浄機、ならびに、軸心周りであって、夫々が共に軸心から所定距離を置いた位置にあり、且つ互いの位置関係が回転バランスの取れた配置となるようにした三箇所以上の複数箇所に、何れもが軸心周りに回動し得ると共に、各々所定量の被洗浄物を格納可能とした脱水籠を配し、各脱水籠を濯ぎ洗いおよび脱水可能な回転数で該軸心周りに回転駆動可能な回転駆動源と、回転駆動される脱水籠に対して高圧水を吹き付けて濯ぎ洗い可能とする高圧水ノズルとを設け、各脱水籠に温風を吹き付けて乾燥可能とする温風供給源を設けた濯ぎ・脱水・乾燥機を有して順次、予備洗浄機、回転型洗浄機、濯ぎ・脱水・乾燥機の順に、手際良く被洗浄物を移動させながら予備洗浄、本洗浄、濯ぎ、脱水、乾燥の各工程を実行可能とするよう配置してなるものとした洗浄システムということができる。
【００１３】
また、より具体的なものとし示すと、スーパーカゴの底面、内壁面、外壁面を押し付け可能な縦型回転ブラシおよび横型回転ブラシと、スーパーカゴと各ブラシとの接触部分に洗浄液を供給可能な洗浄液供給源とを有するブラシ掛け予備洗浄機、被洗浄物であるスーパーカゴを保持して回転、駆動可能な回転駆動源、および高圧水を吹き付けてスーパーカゴの内外側に付着した汚れや塵埃等を簡易的に洗い流す高圧水ノズルを有する水圧予備洗浄機、および、水平軸心周りであって、夫々が共に軸心から所定距離を置いた位置にあり、且つ互いの位置関係が回転バランスの取れた配置となるようにした三箇所以上の複数箇所に、何れもが水平軸心周りに回動し得ると共に、各々所定量のスーパーカゴを格納可能とした洗浄籠を配し、各洗浄籠を該水平軸心周りに回転駆動可能な回転駆動源と、該水平軸心の真下方向に移動した際の洗浄籠を液面下に没しさせ得るだけの量の洗浄液を供給可能とする洗浄液供給源と配設すると共に、回転駆動される洗浄籠に対して高圧水を吹き付けて濯ぎ洗い可能とする高圧水ノズルと、各洗浄籠に温風を吹き付けて乾燥可能とする温風供給源を設けた回転型洗浄機を夫々順次、ブラシ掛け予備洗浄機、水圧予備洗浄機、回転型洗浄機の順に手際良くスーパーカゴを移動させながら、ブラシ掛け予備洗浄、水圧予備洗浄、本洗浄、濯ぎ、脱水、乾燥の各工程を実行可能とする如く配置させてなる洗浄システムということができる。
【００１４】
（関連する発明１）
上記した洗浄システムに関連して、この発明にはその洗浄システムに使用される回転型洗浄機も包含しており、それは基本的に次のとおりのものである。                      即ち、水密状とした洗浄浴室内には、その底面上所定高さ位置に略水平状に回転支軸を配設、支持した上、該回転支軸周りであって、夫々が共に軸心から所定距離を置いた位置にあり、且つ互いの位置関係が回転バランスの取れた配置となるようにした三箇所以上の複数箇所に、何れもが当該回転支軸に支持されて同回転支軸の軸心周りに回動し得ると共に、各々所定量の被洗浄物を格納可能とした洗浄籠を配したものとする一方、各洗浄籠を正逆回転可能と共にその回転数を可変調節可能とする回転駆動源と、回転支軸の真下方向に移動した際の洗浄籠を液面下に没しさせ得るだけの量の洗浄液を供給可能とする洗浄液供給源とを夫々洗浄浴室外適所に配設してなる構成を要旨とする、上記したこの発明の洗浄システムに用いる回転型洗浄機である。
【００１５】
より具体的には、底面、天面およびその間の周囲壁面の全方位を水密状とした洗浄浴室内には、その底面上所定高さ位置に略水平状に回転支軸を配設、固定状または回転自在に支持した上、該回転支軸周りであって、夫々が共に軸心から所定距離を置いた位置にあり、且つ互いの位置関係が回転バランスの取れた配置となるようにした三箇所以上の複数箇所に、固定状の回転支軸に対しては回転自在に、または回転自在な回転支軸に対しては一体的に、各々所定量の被洗浄物を格納可能にした洗浄籠を配したものとする一方、各洗浄籠を回転支軸の軸心周りに正逆回転可能、且つその回転数を可変調節可能とする回転駆動源と、回転支軸の真下方向に移動した際の洗浄籠を液面下に没しさせ得るだけの量の洗浄液を供給可能とする洗浄液供給源とを、夫々洗浄浴室外適所に配設した上、当該回転支軸の上方に移動した洗浄籠に対応する洗浄浴室の壁面適所には、被洗浄物を出し入れ可能で水密構造となる開閉扉付きの投入口を設けてなるものとした回転型洗浄機であるということができる。
【００１６】
更に具体的な構造によるものとしては、底面、天面およびその間の周囲壁面の全方位を水密状とした洗浄浴室内には、その底面上所定高さ位置に略水平状に回転支軸を配設、支持した上、該回転支軸周りを等分割して回転バランスの取れるようにした配置で、夫々が軸心から一定距離を置いてなる三箇所以上の複数箇所に、何れもが当該回転支軸に支持されて同回転支軸と一体に回動し得ると共に、各々所定量の被洗浄物を格納し得るようにした洗浄籠を配したものとする一方、当該回転支軸を正逆回転可能と共にその回転数を可変調節可能とする回転駆動源と、回転支軸の真下方向に移動した際の洗浄籠を液面下に没しさせ得るだけの量の洗浄液を供給可能とする洗浄液供給源とを、夫々洗浄浴室外適所に配設した上、当該回転支軸の上方に移動した洗浄籠に対応する洗浄浴室の壁面適所には、被洗浄物を出し入れ可能で水密構造となる開閉扉付きの投入口を設けてなる構成による、この発明の洗浄システムに用いる回転型洗浄機となる。
【００１７】
そして、この発明の回転型洗浄機には、底面、天面およびその間の周囲壁面の全方位を水密状とした洗浄浴室内には、その底面上所定高さ位置に略水平状に回転支軸を配設、支持した上、該回転支軸周りを等分割して回転バランスの取れるようにした配置で、夫々が軸心から一定距離を置いてなる三箇所以上の複数箇所に、何れもが当該回転支軸に支持されて同回転支軸と一体に回動し得ると共に、各々所定量の被洗浄物を格納し得るようにした洗浄籠を配したものとする一方、当該回転支軸を正逆回転可能と共にその回転数を可変調節可能とする回転駆動源と、回転支軸の真下方向に移動した際の洗浄籠を液面下に没しさせ得るだけの量の洗浄液を供給可能とする洗浄液供給源とを、夫々洗浄浴室外適所に配設し、回転駆動される洗浄籠に対して高圧水を吹き付けて濯ぎ洗い可能とする高圧水ノズルを洗浄浴室内天面付近に設け、各洗浄籠に温風を吹き付けて乾燥可能とする温風供給源を洗浄浴室外の適所に設けた上、当該回転支軸の上方に移動した洗浄籠に対応する洗浄浴室の壁面適所には、被洗浄物を出し入れ可能で水密構造となる開閉扉付きの投入口を設けた構成の回転型洗浄機が包含されている。
【００１８】
（関連する発明２）
上記した洗浄システム、およびそれに用いる回転型洗浄機に関連して、この発明には、当該洗浄システムを使用することによって複数のスーパーカゴを同時に洗浄可能とするスーパーカゴの洗浄方法も包含されている。                                          即ち、予備洗浄機の洗浄液を噴射する高圧水ノズルおよび／または回転ブラシ等を用いてスーパーカゴ内外側面に洗浄液を吹き付け、回転ブラシを押し付ける等して表面に付着した汚れや塵埃等を簡易的に除去して予備洗浄を行い、回転型洗浄機の洗浄浴室内における三箇所以上の各洗浄籠に順次、一定数のスーパーカゴをスタッキングさせた状態で収容し、各洗浄籠が回転支軸周りに回転バランスの取れた状態とし、洗浄液供給源により、回転軸の真下方向に移動した洗浄籠を、液面下に没しさせ得るだけの量の洗浄液を供給した後に、回転駆動源によって各洗浄籠を回転支軸周りに正逆回転を適宜織り交ぜるよう、適宜速度で所定時間に渡り連続的に回転駆動させることにより、スーパーカゴを洗浄液面に打ち付ける運動と、各洗浄籠の回転支軸周り回転によって攪拌状に流動する洗浄液中を強制的に移動させる際に生じる液中摩擦力とを発生させ、各スーパーカゴに対して全方位から洗浄液を強く接触させるようにして本洗浄を行い、その後に、適宜濯ぎ、脱水、乾燥を施して複数のスーパーカゴを洗浄可能とする如く構成したことを要旨とする、前述したこの発明の基本をなす洗浄システムを利用したスーパーカゴの洗浄方法である。
【００１９】
より具体的には、ブラシ掛け予備洗浄機の縦型回転ブラシおよび横型回転ブラシの夫々に洗浄液を吹き付けながら、スーパーカゴの底面、内壁面、外壁面を順次押し付けるようにして予備洗浄を行った後、水圧予備洗浄機を用いた高圧水の吹き付けにより、スーパーカゴの内外側に付着した汚れや塵埃等を簡易的に吹き飛ばし、その次に洗浄浴室内の三箇所以上の各洗浄籠に順次、一定数のスーパーカゴをスタッキングさせた状態で収容し、各洗浄籠が回転支軸周りに回転バランスの取れた状態とし、洗浄液供給源により、回転支軸の真下方向に移動させた洗浄籠を、液面下に没しさ得せるだけの量の４０℃ないし６０℃前後、望ましくは６０℃程度に温度設定された塩素系の洗浄液を供給した後に、回転駆動源によって各洗浄籠を回転支軸の軸心周りに正逆回転を適宜織り交ぜるよう、毎分３５回転程度か、それ以下の回転数で最も良好な洗浄効果が得られる速度で５分ないし２０分間前後、望ましくは１０分間程度に渡り連続的に回転駆動させることにより、スーパーカゴを洗浄液面に打ち付ける運動と、各洗浄籠の回転支軸周り回転によって攪拌状に流動する洗浄液中を強制的に移動させる際に生じる液中摩擦力とにより、各スーパーカゴに対して全方位から洗浄液を強く接触させるようにして本洗浄を行い、同回転型洗浄機洗浄浴室内の洗浄液を排出するか、あるいは各スーパーカゴを濯ぎ・脱水・乾燥機に移し替えるかして水または６０℃以下の温水を吹き付けながら回転支軸周りに回転駆動させて洗浄液を濯ぎ落とした後に、各スーパーカゴを回転支軸周りに毎分１４０〜２１０回転程度の範囲内で約１分間に渡り、回転駆動させて脱水を行い、最後に毎分３５回転程度か、それ以下の回転数で回転させながら６０゜以下の温風を吹き付けて強制乾燥させることにより、複数のスーパーカゴを洗浄可能とするように構成したスーパーカゴの洗浄方法ということができる。                                                                                                                          
【発明の効果】
【００２０】
以上のとおり、この発明の洗浄システムによれば、何よりも先ず、予備洗浄機と回転型洗浄機ならびに濯ぎ・脱水・乾燥機の夫々を順次、適正位置に配置させた構造としたことにより、予備洗浄、本洗浄、濯ぎ、脱水、乾燥の順に手際良く被洗浄物を移動させながら、各洗浄段階においてより効果的な洗浄を実現可能とすることができ、しかも、予備洗浄の初期にブラシ掛け予備洗浄機を用いて強固に固着した油や黴等の頑固な汚れを掻き落としてしまい、その後に水圧予備洗浄機によって表面的に付着して残存する汚れを濯ぎ落としてしまうことにより、本洗浄における洗浄力を強めることができると共に、本洗浄において使用する洗浄液を清浄に保ち、経済性を高めることができ、しかも複数の比較的小型化容易な機械の組合せによって構成されているので、洗浄システム全体をスーパーマーケットやホームセンター等に車両輸送し、その場で洗浄作業を行うことができるという秀れた特徴を有するものである。
【００２１】
また、この発明の回転型洗浄機によれば、洗浄浴室内に水平状に支持された回転支軸の軸心回りに回転バランスの取れた配置となる複数の洗浄籠を設けるという、比較的簡素な基本的構造により、各洗浄籠内に一定数ずつ投入された複数の被洗浄物を、回転支軸の軸心回りに回転駆動させ、洗浄浴室内の下側に収容された洗浄液面に、打ち付ける運動と、各洗浄籠の回転によって攪拌状に流動している洗浄液中を移動させる液中摩擦力とによって各被洗浄物に対し、洗浄液を強く接触させるようにして従前までの洗浄機では得ることのできなかった効果的な洗浄力を発揮できるものとし、迅速で高い洗浄品質を得ることができるという大きな効果を得ることができる。
【００２２】
更に、この発明のスーパーカゴの洗浄方法によれば、不特定多数の人々が多彩な商品を収容、運搬することにより、様々な汚れが付着している大量のスーパーカゴを洗浄する際に、始めに予備洗浄を施して固形状あるいは粘着状となって強力に付着している油汚れや黴、および泥、土、粉等の塵埃等の大部分を除去してしまうことにより、その次に行う本洗浄の負担を大幅に軽減し、本洗浄における洗浄液の寿命を伸ばして経済的な運転を可能にすると共に、本洗浄に要する時間を短縮し、より迅速に効果的な洗浄を行うことができるので、小人数による比較的短時間の作業によって大量のスーパーカゴを迅速に洗浄できるようになり、作業者への労働負担を大幅に軽減することができるという秀れた特徴を発揮し得るものとなる。                                                                            
【発明を実施するための最良の形態】
【００２３】
上記したとおりの構成からなるこの発明の実施に際し、その最良もしくは望ましい形態について説明を加えることにする。                                                  先ず、この発明の基本をなす洗浄システムにおいて、予備洗浄機は、被洗浄物の表面に付着して比較的簡単に取り除くことができる程度の塵埃や軽い汚れ等を、本洗浄の前段階において除去する予備洗浄を実行可能とする機能を果たすものであり、圧縮空気の吹き付けや高圧水の吹き付け、洗浄剤を添加した水または水道水等の洗浄液への浸漬、または、同洗浄液の高圧による吹き付け、あるいはブラシやスポンジを連続的に接触させて汚れを掻き落とす等の何れかの予備洗浄、もしくはそれらの組合せによる予備洗浄を可能とする構造としなければならず、適宜、コンプレッサやポンプ、ブラシ類を回転駆動させるモータ等を設け、特に、被洗浄物がスーパーカゴの場合には、黴や油汚れ等を効果的に除去できる塩素系の洗浄剤を含む洗浄液を用いるのが望ましく、スーパーカゴに変形や破損を生じない程度の温度まで洗浄液を加熱可能な、ボイラや給湯装置等を接続したものとすることができる。
【００２４】
ブラシ掛け予備洗浄機は、ブラシやスポンジ等の洗浄に好都合な接触部材を接触させることにより、被洗浄物に付着して洗浄液の吹き付けのみでは落としきることのできない固形状あるいは半固形状の塵埃や汚れを掻き落とし、本洗浄の洗浄液の汚染を低減させると共に、洗浄液の汚れへの浸透を早めて本洗浄に要する時間を短縮可能とするという機能を果たし、被洗浄物の材質や表面硬度等に応じてブラシやスポンジ等の材質や形状、寸法を適宜選択しなければならず、塵埃や汚れの除去を効率化するには清水、または界面活性剤を含む水、あるいは塩素系洗剤を含む水等の洗浄液を被洗浄物とブラシ類との接触部分に連続的に供給するのが望ましく、被洗浄物から剥がれ落ちた塵埃や汚れをブラシ類や被洗浄物から速やかに洗い流すようシャワー型の洗浄ノズルを用いて、ブラシ類を含む被洗浄物の全体に豊富な洗浄液を連続供給するのが最も望ましいものであり、特に、被洗浄物がスーパーカゴの場合には、スーパーカゴの外側周壁面、内側周壁面、外側底面、内側底面およびその四隅の夫々に接触可能な寸法、形状に設定された縦型回転ブラシおよび横型回転ブラシを有するものとするのが良い。
【００２５】
水圧予備洗浄機は、洗浄液を吹き付けることにより、回転ブラシで掻き落とされて被洗浄物の表面に残ったままの塵埃や汚れを、簡易的に除去可能とするものであって本洗浄で使用される洗浄液の汚染を低減させ、より高い洗浄力を長時間に渡り、確保できるものとするという機能を果たし、被洗浄物に損傷や破損を発生しない程度の圧力で洗浄液を吹き付ける構造としなければならず、高圧水ノズルを被洗浄物の周囲で移動させるか、あるいは、被洗浄物を比較的ゆっくりと回転させる等して、洗浄液を被洗浄物の全体に万遍なく吹き付ける構造とすべきである。
【００２６】
濯ぎ・脱水・乾燥機は、本洗浄を終えた後に被洗浄物に付着、浸透している洗浄液を迅速かつ洗剤残りのないように濯ぎ落とした後に、濯ぎ液を残らず脱水し、更に被洗浄物に適する乾燥状態まで速やかに強制的に乾燥してしまう機能を果たすものであり、回転型洗浄機から取り出した被洗浄物を効率的に投入できるよう、できるだけ回転型洗浄機の近くに配置させるべきであり、回転型洗浄機に濯ぎ、脱水、乾燥の機能が設けられていない場合に必要であって、濯ぎ専用、脱水専用、乾燥専用の機械を夫々隣接配置させて組み合わせたものとすることも可能であるが、被洗浄物の投入および取り出し作業を削減するには、これらの作業を一台の機械で実現可能とするのが望ましいものである。より具体的には、清水等の濯ぎ液を被洗浄物に注ぎ掛けもしくは吹き付ける等して洗い流す給水ノズル、シャワーノズルあるいは高圧水ノズルの給液源、被洗浄物に回転力を与えてその遠心力を利用して脱水可能とする回転駆動源、および、圧縮空気や温風等を吹き付けて強制乾燥可能とする温風供給源等を設けたものとすることができる。
【００２７】
当該洗浄システムは、予備洗浄機や回転型洗浄機、および濯ぎ・脱水・乾燥機を、洗浄工場に固定的に設置可能である外、一台の輸送車両に纏めてか、複数台の輸送車両に別けて搭載可能な寸法、形状とし、車両に搭載されたままか、もしくは車両から地上に降ろして適所に設置可能な構造とすることができる。
【００２８】
そして、濯ぎ液は、本洗浄において付着した洗浄剤や浮き上がって表面に残った汚れ等を被洗浄物から洗い流す機能を果たし、基本的に清水あるいは被洗浄物に適する温度に加熱された温水等を用いるが、被洗浄物の性質や必要品質に応じて消毒剤や溶剤等の各種薬液、もしくはそれらを添加した液体類を使用することも可能である。
【００２９】
次に、この発明の洗浄システムに使用する回転型洗浄機において、洗浄浴室は、所定量の洗浄液を収容可能とし、回転支軸の軸心周りに回転しながら洗浄液に打ち付けられる運動や、攪拌状に流動する洗浄液中を強制的に移動され、液面から上昇する洗浄籠からの飛沫等を、周囲環境から隔絶させて防水状態を確保する機能を果たすものであり、少なくとも回転支軸の真下方向に移動した際の洗浄籠を液面下に没しさせ得るだけの量の洗浄液を、外部に漏出させることなく溜めることができる底面および周囲壁面を有する構造としなければならず、回転支軸よりも上方に移動された洗浄籠に外側から被洗浄物を投入可能とする投入口を開口し、更に該投入口に液漏れを防ぐことが可能な開閉扉を開閉自在に装着したものとすべきであり、上方に噴射ノズルを配して回転する洗浄籠に向けて洗浄液を噴射する構造や、または、車両に搭載可能な程度に小型化するような場合等には特に、天井側からの洗浄液の飛散を防止可能とする天面が必須となるものである。
【００３０】
回転支軸は、被洗浄物が投入された複数の洗浄籠を、略水平な軸心周りに安定的に回転自在とするよう、回転バランスの取れた状態に支持可能とする機能を果たし、複数の洗浄籠を支持可能な程度に十分な強度をもたせたものとしなければならず、洗浄浴室内の所定高さ位置に回転自在に支持され、複数の洗浄籠が同回転支軸と一体になって回転し、軸端付近にベルト車や歯車、スプロケット等を装着した回転支軸を介して回転駆動源からの駆動力を全ての洗浄籠に伝達する構造とすることが可能である外、洗浄浴室内の所定高さ位置に回転不能な状態に支持された回転支軸の周りに、複数の洗浄籠がベアリング等を介する等して回転自在に装着され、同回転支軸を介さずに各洗浄籠の回転中心付近に同心状に装着されたベルト車や歯車、スプロケット等を介して回転駆動源からの駆動力を全ての洗浄籠に伝達する構造とすることも可能である。
【００３１】
洗浄籠は、複数の被洗浄物を纏めて投入、収容保持および取り出し可能であると共に、収容した複数の被洗浄物を、回転支軸を中心とする回転バランスが取れた位置に保持可能であり、しかも洗浄液が直接的に被洗浄物に接触可能となり、洗浄中に回転運動する際に被洗浄物を確実に保持可能とする機能を果たすものであって被洗浄物を投入可能な寸法、形状の開口を形成しなければならず、洗浄液が殆ど全方位から容易に通過可能な網目状、格子状、柵状等の檻型に形成され、回転運動によって洗浄液面に叩き付けられ、洗浄液中を強制的に移動された際にもその衝撃力や水圧を緩衝して被洗浄物を破損や変形から保護可能な程度の強度を有するものとすべきであり、被洗浄物投入用の開口部分を閉鎖可能な網目状、格子状、柵状等の扉を設けものとするのが望ましいが、扉を設けずに被洗浄物の脱落を防止可能な係合金具やベルト類等の保持機構を設けたものとすることもでき、特に、被洗浄物がスーパーカゴである場合には、スタッキングされた一定数のスーパーカゴが、カゴの開口部を、回転支軸の軸心における遠心方向に向けて収容される構造とするのが望ましく、また、各洗浄籠が、回転支軸に対し脱着可能とされ、洗浄浴室から取り出し可能な構造としたことにより、洗浄浴室から取り出した洗浄籠に被洗浄物を投入してから洗浄浴室内の回転支軸に装着し、洗浄可能とした構造とすることもできる。
【００３２】
回転駆動源は、回転支軸の軸心周りに複数配置された各洗浄籠を、同軸心周りに所定の回転速度で正逆回転駆動可能とし、その回転速度を自在に調整可能として洗浄中に回転駆動可能とする機能を果たすものであり、洗浄液中を通過しながら移動する複数の洗浄籠を、十分な洗浄力を確保できる速度で強制的に回転駆動可能な程度のトルクを発生できるものとしなければならず、回転支軸の周りに回転可能に保持され一体化された複数の洗浄籠に、回転支軸を介さずに回転駆動力を伝達するものとすることができる外、複数の洗浄籠に一体的に結合された回転支軸を介して、回転駆動力を伝達するものとすることが可能であり、より具体的には、電動モータやエンジン等の出力源に歯車やチェーン、ベルト等の伝動機構や変速機構等を組み込んだものとすることや、あるいは、電動モータの電力供給源にインバータ回路やマイクロコンピュータを組み込む等して変速制御可能としたものとすることができる。
【００３３】
洗浄液供給源は、所定量の洗浄液を洗浄浴室内に供給可能とし、必要に応じて洗浄液を適温まで加熱可能であり、しかも洗浄中の洗浄浴室内に溜まった洗浄液を回収、濾過して循環させることを可能とする機能を果たすものであり、ボイラや給湯機あるいはヒーター等の熱源によって洗浄液を瞬間的に加熱するか、または貯溜タンクに溜められたある一定量の洗浄液を加熱し、その洗浄液を洗浄浴室に供給可能とする洗浄液加熱装置を有するものとしなければならず、また、洗浄浴室に溜まった洗浄液を回収し、強制的に濾過フィルターを通過させて濾過した後に再度、洗浄浴室内に供給して再生利用可能とする循環型濾過装置を設けたものとすべきであり、洗浄浴室内に洗浄液を供給する配管の中途箇所に、洗浄液を所定圧力に加圧する高圧ポンプを設け、その吐出端に回転して来る各洗浄籠に洗浄液を吹き付け可能な噴射ノズルを配したものとすることができる。
【００３４】
洗浄液は、被洗浄物に付着、浸透してしまい簡易的な高圧水の吹き付けや回転ブラシによる予備洗浄では落とすことのできない程度の汚れを、高い洗浄力で洗い落とし、しかも被洗浄物に変形や破損、変色等の損傷を与えずに洗浄することを可能とするという機能を果たすものであり、水や温水に弱アルカリ性洗剤あるいは中性洗剤を加えた洗浄液を用いるのが可能である外、特に黴や油汚れを効果的に洗浄可能な塩素系の洗剤を水や温水に適量添加したものとすることができ、更に被洗浄物の耐熱性に応じた温度に加熱して洗浄力を高めたものとするのが望ましく、また被洗浄物の性質に応じて消毒剤や各種溶剤等を使用することや、微粒子状の研磨剤やワックス等を適量添加すること等も可能である。更にまた、被洗浄物が農作物や魚介類等のように洗浄剤の使用が望ましくない物の場合には、清水を使用することも可能である。特に、プラスチック製のスーパーカゴを洗浄する場合には、熱による変形や破損を生じない６０゜程度の温度に加熱された塩素系の洗浄液を使用するのが良い。
【００３５】
被洗浄物は、各洗浄籠に複数個ずつ投入され、洗浄される対象物であって一般に比較的大量に生産あるいは利用される物品であり、例えば、工場生産された機械部品や電子部品類、または収穫された農産物や魚介類等の外、食堂の食器類や、衣類、毛布、タオルケット、座布団、羽根布団等の装身具類、育児施設のぬいぐるみやスニーカー、ボーリング場やゴルフ場等の貸しシューズやボール、大型販売店やショッピングセンター等のスーパーカゴ等、あらゆる物品が洗浄の対象物となり得るものである。
【００３６】
更に、上記までの洗浄システム、およびそれに用いる回転型洗浄機に関連して、この発明に包含されている、当該洗浄システムを使用することによって複数のスーパーカゴを同時に洗浄可能とするスーパーカゴの洗浄方法において、予備洗浄は、スーパーカゴの内外側表面に付着した塵埃や、野菜、鉢植え等の土や泥、食品類等による油汚れ、およびそれらに起因する黴等を、本洗浄の前段階において簡易的に除去、洗浄してしまい、本洗浄に用いる洗浄液が、早い段階で汚染されてしまうのを防ぐという機能を果たし、スーパーカゴ内外側面にブラシやスポンジ等を接触させてブラシ掛けする工程を実行することによって強固に付着した汚れを迅速に剥がし落としてしまい、その後に剥がれ落ちてスーパーカゴ内外側面に表面的に付着して残った汚れに、水または、適温に設定された温水、あるいは中性、弱アルカリ性、もしくは塩素系の洗浄剤を適量添加した水または温水等を吹き付けて、簡易的に洗い流すと共に、洗浄液を汚れの深部まで浸透させ、本洗浄の際に強い汚れが比較的容易に除去されるように前処理してしまうものであり、水道圧を利用したりポンプを利用する等して高圧化された洗浄液を、スーパーカゴの略全体に吹き付けるように行うべきであるが、その前後に圧縮空気を吹き付けて付着物を本洗浄前に除去しておくことも可能であり、予備洗浄に用いられる洗浄液は、本洗浄に用いる洗浄液と同一か、それよりも僅かに洗浄力の弱い洗浄液を使用することが可能であり、対象とする被洗浄物に応じて清水や消毒液、溶剤等も適宜選択、使用することが可能である。
【００３７】
ブラシ掛け予備洗浄機を用いた予備洗浄は、定位置に支持されて回転駆動する回転ブラシに対してスーパーカゴの洗浄すべき周壁面や底面等を押し付けて汚れを掻き落とすようにするものであり、回転ブラシとスーパーカゴとの接触面付近に洗浄液を供給しながら予備洗浄作業を進めることができるようにすべきであり、合成樹脂製のスーパーカゴに損傷を与えない比較的柔軟性に秀れた素材からなるブラシを選択、使用しなければならず、外側底面や内側周壁面等を効率的に洗浄可能とするよう、少なくとも縦型回転ブラシおよび横型回転ブラシを好適に配置させた洗浄機を使用するのが望ましく、各ブラシ付近には少なくともスーパーカゴとの接触部分付近に洗浄液を供給可能な吐出ノズルや噴射ノズル等を配設し、無駄な洗浄液の飛散を招かずに、効率的に汚れを排除できるようにするのが望ましい。
【００３８】
水圧予備洗浄機を用いた予備洗浄は、スーパーカゴの周囲外側から、望ましくは略全方位から洗浄液を吹き付けてブラシ掛け予備洗浄によって掻き落とされ、スーパーカゴの底面および周壁面に付着して残された汚れを簡易的に除去可能とすると共に、洗浄液を残存する汚れに浸透させて本洗浄の際の洗浄力を高めるようにするという機能を果たし、固定的に保持されたスーパーカゴの周囲に複数の高圧水ノズルを配置させて洗浄することや、固定的に保持されたスーパーカゴの周囲を高圧水ノズルが周りながら洗浄液を吹き付けて洗浄するようにしたり、あるいは、スーパーカゴを所定姿勢に保持し、回転駆動源によってゆっくりと回転駆動させ、その近傍に配設された高圧水ノズルから回転するスーパーカゴに向けて洗浄液を吹き付けて洗浄する方法を採ること等が可能である。
【００３９】
本洗浄は、回転型洗浄機を利用し、一定数毎にスタッキングされたスーパーカゴを収容した複数の洗浄籠を、次々に強い洗浄力を発揮する洗浄中に、打ち付けるようにして各スーパーカゴを洗浄液に衝撃的に接触させると共に、各洗浄籠の移動によって攪拌状となっている洗浄液中を、強制的に移動させることにより、更に各スーパーカゴの略全方位から洗浄液を強く接触させるようにし、予備洗浄では落とし得なかった強い汚れを除去可能とする機能を果たすものであり、黴や油汚れ等に対する洗浄力に秀れた塩素系の洗浄液を、洗浄力を高める温度まで加熱して使用するのが望ましいが、合成樹脂製のスーパーカゴに変形や破損、および変色等を生じない塩素濃度ならびに液温度に設定しなければならず、また、洗浄時間も合成樹脂素材の性質を考慮して最も最適と判断される条件を選択するのが望ましい。
【００４０】
濯ぎ、脱水、乾燥は、当該洗浄システムに専用の濯ぎ・脱水・乾燥機または、濯ぎ、脱水、乾燥の機能を追加した回転型洗浄機を用いて行うことが可能であり、本洗浄を終えたスーパーカゴに付着、残存している洗浄液を濯ぎ落とし、脱水した後に、迅速に乾燥させ、取り出しと同時にスーパーカゴを通常使用可能なものに仕上げるという機能を果たすものであり、濯ぎの工程では、濯ぎ液として清水を用いるのが最も経済的であるが、揮発性に秀れ、乾燥に有利な溶剤等、清水以外の濯ぎ液を使用することも可能である外、黴予防や殺菌、汚れの再付着を防止する等の目的を達成できるよう、除菌用あるいは殺菌用の薬剤や、界面活性剤、ワックス等を、清水と時間をずらしてか、あるいは清水と混合された状態、もしくは単独でスーパーカゴに吹き付けることが可能であり、また、濯ぎ、脱水、乾燥の何れかが終了した段階において、各スーパーカゴに対し、樹脂汚れの要因ともなる静電気の発生を抑える帯電防止剤を吹き付ける工程を付加することができる。
【００４１】
脱水の工程では、各スーパーカゴに付着して残っている濯ぎ液を強制的に離脱させて乾燥に要する時間を短縮するものであり、スーパーカゴに振動やあるいは遠心力を加えて濯ぎ液を振り落としたり、あるいは、圧縮空気を吹き付けて吹き飛ばすこと等によって効果的に脱水することが可能である外、真空ポンプを使った吸引や、揮発性液体を吹き付けて濯ぎ液を飛ばし、乾燥時間を短縮することも可能である。
【００４２】
乾燥の工程は、脱水で残された水分の殆どを、スーパーカゴから強制的に除去して乾燥終了後には、各スーパーカゴをそのまま通常通り使用することができるよう管理することにあり、基本的には有る程度の気密性を確保して密封すると共に、排気口を確保した室内に、脱水を終えた各スーパーカゴを投入し、同室内に乾燥させた空気か、あるいはスーパーカゴが変形しない程度の温度に加熱された空気を供給する等して強制的に乾燥状態を得るものであるが、更に、乾燥室内を真空ポンプ等を用いて減圧し、水分の蒸発温度を低下させ、より効率的に乾燥させるようにすることもできる。
【００４３】
予備洗浄、本洗浄、濯ぎ、脱水、乾燥の各工程は、各段階において所望の洗浄効果が得られなかったスーパーカゴを発見した場合に、そのスーパーカゴを抜き出して適正と思われる工程から再度、洗浄をやり直すことが可能であり、例えば、ブラシ掛け予備洗浄の前後夫々に、水圧予備洗浄を行ったり、あるいは、本洗浄を行った後に、予備洗浄から再度実行し直したり、もしくは本洗浄を複数回に渡って行う等、作業者の判断で適宜に行うことが可能であり、同様の工程の入れ替えや重複は、濯ぎ、脱水、乾燥の工程についても自由に行うことができる。                                                            以下では、図面に示すこの発明を代表する実施例と共に、その構造について詳述することとする。                                                                                                  
【実施例１】
【００４４】
図１の洗浄システムの斜視図、図２の回転型洗浄機内部の斜視図、図３の使用状態にある回転型洗浄機の斜視図、図４の回転支軸周りに複数配置された洗浄籠の正面図、図５の回転支軸周りに複数配置された洗浄籠の側面図、図６の回転型洗浄機における洗浄液供給源の斜視図に示される事例は、予備洗浄機７、回転型洗浄機２および濯ぎ・脱水・乾燥機８が、複数の被洗浄物であるスーパーカゴＢ，Ｂ，……を手際良く移動させながら、予備洗浄、本洗浄、濯ぎ、脱水、乾燥の各工程を次々に実行可能とするよう配置された基本的構成からなるこの発明に包含される洗浄システム１における代表的な一実施例を示すものである。
【００４５】
予備洗浄機７は、図１中に示すように、互いに隣接状に配置されたブラシ掛け予備洗浄機７１および水圧予備洗浄機７６から構成されており、前者のブラシ掛け予備洗浄機７１は、前側面および右側面を大きく開口させた洗浄機本体７２の内側左側に図示しない回転駆動源を内蔵した駆動源ボックスが形成され、同駆動源ボックスの天面に縦型回転ブラシ７３、同右側側面には横型回転ブラシ７４が夫々略直角状に突設されており、各回転ブラシ７３，７４の上側には、洗浄液Ｌを供給可能とする洗浄液ノズル７５，７５が配設されたものとなっている。    また、後者の水圧予備洗浄機７６は、液密状に形成された箱形本体７７を有し、その下側前面には、スーパーカゴＢを一個ずつ通過可能とする開閉扉付きの投入口を左右に三個隣接するよう開口し、各投入口に対応する本体内には、投入されたスーパーカゴＢを夫々仮固定状に収容し、水平軸周りに比較的ゆっくりと回転駆動可能な三個の籠状回転ドラム７８，７８，７８を配設し、各回転ドラム７８，７８，７８の上方には、夫々洗浄液Ｌを供給する高圧水ノズル７９，７９，７９が配されたものとなっており、各高圧水ノズル７９，７９，７９に供給される洗浄液Ｌは、清水を図示しないボイラあるいは電気給湯機等によって６０℃程度に加熱し、適量の塩素系洗剤を加えたものを、ポンプで加圧供給したものである。
【００４６】
予備洗浄機７の次に配置された回転型洗浄機２は、図１ないし図６中に示すように、底面、天面およびその間の周囲壁面を水密状を水密状を確保するよう形成されると共に、上下中央からニ分割可能な矩形箱型であって、所定深さの浴槽状に形成された下側本体３１と、該下側本体３１の上部に、正面の左上側には三個ずつスタッキングされたスーパーカゴＢ，Ｂ，Ｂを、通過可能な寸法の扇型に開口された投入口３３、およびその投入口３３を閉鎖可能とするスライド開閉型の開閉扉３４が、左側面には、内部状況を目視可能な覗き窓３５が夫々設けられた箱状蓋３２とを水密状に接合してなる洗浄浴室３を有し、その内側には、所定高さ位置に図示しないベアリングを介して回転支軸４の両端が、洗浄浴室３の前後側壁面略中央箇所間に水平状且つ回転自在に掛け渡し支持されたものとなっている。
【００４７】
回転支軸４の周囲には、同回転支軸４の軸心周りを６０゜置き毎に分割され、回転バランスの取れた配置となる六箇所の夫々に、三個ずつスタッキングされたスーパーカゴＢ，Ｂ，Ｂの開口部分を、回転支軸４軸心の遠心方向に向けた姿勢で投入可能とする略台形状断面型の洗浄籠５，５，……が、夫々回転支軸４から同一距離離れた位置に一体的に固着されたものとなっており、各洗浄籠５，５，……の正面側には、三個ずつスタッキングされたスーパーカゴＢ，Ｂ，Ｂを投入可能とする開口部５１，５１，……が形成されている。
【００４８】
洗浄浴室３の背面外側に突出された回転支軸４の端部には、図５中に示すように、入力用ベルト車４１が装着され、その近傍には、図示しない回転駆動源としてのモータと、同モータの駆動軸に従動し、回転速度の調節および正逆回転の変更を自在に行うことが可能な図示しない変速機構ならびに出力用ベルト車が適宜配設され、図示しない複数本の伝動ベルトを装着してモータ出力を、回転支軸４および、その軸心周りに固着された各洗浄籠５，５，……に伝達可能としたものとなっている。該回転駆動源としてのモータは、インバータおよびマイクロコンピュータ等の制御回路によって変速制御可能とした構造とすることも可能である。
【００４９】
そして、回転型洗浄機２には、図６中に示すように、洗浄浴室３の上部付近となる高さ位置に、洗浄液Ｌを貯溜可能であり、洗浄浴室３の上部適所に外側から内側に貫通するノズルを設け、該洗浄液Ｌ自体の位置エネルギーによるか、あるいは図示しないポンプの加圧力によって洗浄液Ｌを、各洗浄籠５，５，……に吹き付けるよう供給可能な供給管を付属した貯溜タンク６２を設け、同貯溜タンク６２中には、図示しないボイラからの加熱水を供給可能とする洗浄液加熱装置６１としての給湯管６３が貫通状に接続されており、洗浄浴室３底面付近の適所には、底部に溜まった洗浄液Ｌを、外に導出して貯溜可能な回収タンク６４が接続され、該回収タンク６４中には、上端を貯溜タンク６２の上部開口に吐出可能とするよう配し、中途適所にポンプ６６と濾過フィルター６７とが順次、接続された回収管路６５の下端を配置してなる洗浄液供給源６が設けられており、ボイラから供給された温水に適量の塩素系洗浄剤を添加することにより、本洗浄に必要な量の洗浄液Ｌを製造可能なものとなっている。
【００５０】
貯溜タンク６２は、図示しない水道供給管路かあるいは洗浄液Ｌの供給路を設け、貯溜した清水または洗浄液Ｌを加熱可能とする熱交換器を付設して、ボイラや電気給湯機等からの熱によって適温まで加熱可能とし、貯溜された清水を適温まで加熱した後に適量の塩素系洗浄剤を添加したり、あるいは、適量の塩素系洗浄剤を添加した洗浄液Ｌを加熱可能なものとすることができる。また、洗浄浴室３の下側本体３１の適所には、下端を底部付近に接続し、中途適所にポンプ６６および濾過フィルター６７を設け、上端を下側本体３１の上側適所位置に接続した循環管路６９からなる循環型濾過装置６８を設けたものとなっている。
【００５１】
洗浄籠５，５，……の配置構造は、図７の洗浄籠三個の配置の概略的な正面図に示すように、回転支軸４周りに１２０゜置き毎の回転バランスの取れた配置となる中心から一定距離離れた三箇所に配置したものとすることが可能である外、図８の洗浄籠四個の配置の概略的な正面図に示すように、回転支軸４の周りに９０゜置き毎の回転バランスの取れた配置となる中心から一定距離離れた四箇所に配置するものとすることが可能であり、また、図９の洗浄籠五個の配置の概略的な正面図に示すように、回転支軸４周りに７２゜置き毎の回転バランスの取れた配置となる中心から一定距離離れた五箇所に配置することもでき、更に、図１０の洗浄籠八個の配置の概略的な正面図に示すように、回転支軸４周りに４５゜置き毎の回転バランスの取れた配置となる中心から一定距離離れた八箇所に配置するものとすることもできる。
【００５２】
また、図１１の洗浄籠四個の別な配置形状の概略的な正面図、および図１２の洗浄籠四個の別な配置形状の斜視図に示すように、回転支軸４の軸心周り接線方向に、開口部５１を形成した側面を配した矩形箱型の合計四個の洗浄籠５，５，……を、９０゜置き毎の回転バランスの取れた配置として隣接する洗浄籠５，５，……同士が互いに一体に結合され、各開口部５１，５１，……には夫々、図示しない仮施錠機構を有する開閉扉５２，５２，……を装着し、各洗浄籠５には、回転支軸４の軸心に平行な方向に開口を向けて十数個前後の一定個数がスタッキングされたスーパーカゴＢ，Ｂ，……を、開口部５１を通じて収容可能な寸法、形状に設定したものとすることが可能である。
【００５３】
濯ぎ・脱水・乾燥機８は、図１および図１３の濯ぎ・脱水・乾燥機の内部構造の斜視図に示すように、水密性を有する濯ぎ浴室８１内に、前記回転型洗浄機２の洗浄籠５，５，……と同様の配置、構造で水平支軸周りに回転バランスの取れた状態に六個の脱水籠８２，８２，……が設けられ、濯ぎ浴室８１の外側に設置されて毎分１４０ないし２１０回転程度の回転速度で回転可能であると共に、毎分３５回転程度の回転速度に減速回転可能な、図示しない回転駆動源が接続されてたものとなっており、濯ぎ浴室８１の天面右側端付近には、先端が濯ぎ浴室８１内側幅寸法に対応した横長の楕円形断面に形成された風洞管路８３が貫通状に接続され、同風洞管路８３先端付近には、濯ぎ浴室８１内側幅に渡り、基端が温水供給管８５に接続された複数の高圧水ノズル８４，８４，……が、各先端を回転駆動する脱水籠８２，８２，……に向けた姿勢で固着され、風洞管路８３の中途箇所から後端の範囲には、風洞管路８３の中途箇所に設置され、図示しないボイラーからの蒸気を通過させる熱交換器としてのラジエータ８７と、同風洞管路８３の後端に配されて外気を濯ぎ浴室８１内に強制的に送り込む送風ファン８８とからなる温風供給源８６が設けられており、更に、濯ぎ浴室８１の底部付近には、高圧水ノズル８４，８４，……からの濯ぎ液や送風ファン８８からの送風を排出可能とする開閉可能な排出管８９が配設されている。                                                                                        
【実施例２】
【００５４】
図１４の洗浄システムの斜視図、および図１５の濯ぎ脱水乾燥の機能を追加した回転型洗浄機の斜視図に示すように、回転型洗浄機２に濯ぎ、脱水、乾燥の機能を追加して濯ぎ・脱水・乾燥機８を廃止してしまうことが可能である。                                同図中の回転型洗浄機２は、その基本的な構造が、洗浄浴室３内に回転支軸４周りに回転バランスの取れた配置となる六個の洗浄籠５，５，……が回転自在に設けられ、洗浄浴室３の外側には、洗浄液Ｌを貯溜し、洗浄浴室３内に供給可能であると共に、洗浄浴室３底部付近に溜まった洗浄液Ｌを回収し、濾過循環可能とするポンプ６６および濾過フィルター６７等を設けた貯溜タンク６２を設置し、下側本体３１内に溜まった洗浄液Ｌを循環、濾過可能とする循環型濾過装置６８を設けたものであって前記実施例に示したものと略同一である。
【００５５】
図１４および図１５に示す回転型洗浄機２は、こうした洗浄機としての基本構造に加え、濯ぎ・脱水・乾燥の機能を有するものであり、洗浄浴室３の天面右側付近に外側から風洞管路８３の先端が貫通され、また、洗浄浴室３の底面付近には洗浄液Ｌ、濯ぎ液の排水および排気を可能とする開閉自在な排出管８９が設けられ、前記風洞管路８３は、先端部に高圧水ノズル８４，８４，……が、中途箇所には蒸気が循環される熱交換器としてのラジエータ８７、基端側に外気を送り込む送風ファン８８を配したものとなっている。
【００５６】
（実施例の作用）
以上のとおりの構成からなるこの発明の洗浄システム１は、この発明に含まれるスーパーカゴの洗浄方法に従って以下に示すように使用することにより、大量のスーパーカゴＢ，Ｂ，……を迅速に洗浄することが可能となる。                                      図１中に示した洗浄システム１を利用して複数のスーパーカゴＢ，Ｂ，……を洗浄する場合には、始めにブラシ掛け予備洗浄機７１の縦型回転ブラシ７３および横型回転ブラシ７４を回転駆動させ、洗浄液ノズル７５，７５から６０℃前後に加熱された塩素系の洗浄液Ｌを散布しながら、各回転ブラシ７３，７４の夫々に適宜押し付けるようにしてスーパーカゴＢの内外側周壁面や底面を洗浄し、表面的に付着している塵埃や泥、油、黴等の汚れを掻き落とすブラシ掛け予備洗浄を行い、続いて水圧予備洗浄機７６の各回転ドラム７８，７８，７８に、一個ずつスーパーカゴＢを装填し、扉を閉鎖して比較的ゆっくりと回転させながら、高圧水ノズル７９，７９，７９から、ポンプで加圧した清水を吹き付けてスーパーカゴＢ，Ｂ，……内外側に表面的に残存、付着している塵埃や泥、油や黴等を除去する水圧予備洗浄を行う。頑固な汚れのスーパーカゴＢ，Ｂ，……に予備洗浄を施す場合には、６０℃前後に加熱した塩素系の洗浄液Ｌを加圧して吹き付けることにより、更に高い予備洗浄性能を発揮可能となる。
【００５７】
予備洗浄を行った後のスーパーカゴＢ，Ｂ，……は、図１ないし図６に示した、回転型洗浄機２に投入して本洗浄を行うこととなり、図３中に示すように、開閉扉３４を開放させた投入口３３を通じて、洗浄浴室３内の各洗浄籠５，５，……に、三個ずつスタッキングされた状態で投入し、全ての洗浄籠５，５，……に同数のスーパーカゴＢ，Ｂ，……を投入するか、あるいは個数が少なくなった場合等には、一個置き毎となる配置の洗浄籠５，５，５の夫々に同一数のスーパーカゴＢ，Ｂ，……を投入する等して、回転バランスの取れた状態に投入し、開閉扉３４を閉鎖させて洗浄浴室３を液密状とした後に、図１および図６中に示す貯溜タンク６２中に貯溜され、給湯管６３から供給された６０℃前後の清水に適量の塩素系の洗浄剤を添加した洗浄液Ｌを、給水管路およびノズルを通じて洗浄浴室３内に供給し、回転支軸４の下側に回転移動された洗浄籠５が、液面下に没する程度の、同図中二点鎖線で示した量の洗浄液Ｌを供給すると共に、図示しない回転駆動源を駆動させて洗浄籠５，５，……を回転支軸４の周りに正転駆動、逆転駆動を所定回数ずつ繰り返しながら毎分３０回転前後の速度で回転されるよう制御して１０分間前後に渡って本洗浄を行う。
【００５８】
本洗浄を行っている間に渡り、洗浄浴室３内に溜まった洗浄液Ｌは、回収タンク６４に回収され、ポンプ６６および濾過フィルター６７を通じて濾過されながら、貯溜タンク６２に循環される。また、回収管路６５とは別に設けられた循環型濾過装置６８を通じて洗浄液Ｌが循環、濾過され、常に洗浄浴室３内の洗浄液Ｌが清浄な状態に保たれている。
本洗浄を終えると、洗浄液供給源６から供給される洗浄液Ｌを停止させ、洗浄籠５，５，……の回転も停止させて開閉扉３４を開放させ、各洗浄籠５，５，……を手作業で回動させながら、スーパーカゴＢ，Ｂ，……を順次取り出して、図１３中に示す、濯ぎ・脱水・乾燥機８の各脱水籠８２，８２，……に移動させ、各脱水籠８２，８２，……に対して三個ずつスタッキングさせたスーパーカゴＢ，Ｂ，……を、夫々のカゴ開口が、回転の遠心方向に向むく姿勢に投入し、開閉扉を閉鎖させて排出管８９を開放した状態で、各脱水籠８２，８２，……を回転支軸の軸心周りに正逆回転を所定回数毎繰り返しながら毎分３０回転程度で回転駆動させると同時に、高圧水ノズル８４，８４，……から５０℃ないし６０℃程度に加熱された清水を吹き付けて、本洗浄で付着した洗浄液Ｌを洗い流し、底部に落下した濯ぎ液は、排出管８９を通じて外部に排出される。
【００５９】
濯ぎを終えた後に、各脱水籠８２，８２，……を、毎分１４０ないし２１０回転で約２分間に渡って正逆何れか一方方向に高速回転させることにより、その遠心力によって濯ぎ液を吹き飛ばし脱水を行い、脱水を終えると脱水籠８２，８２，……の回転速度を、毎分３０回転程度に低下させ、望ましくは正逆回転を所定回数ずつ繰り返すように制御しながら、送風ファン８８を起動させて風洞管路８３を通じて送風を行い、熱交換器８７を通過することにより６０℃程度の熱風として、濯ぎ浴室８１内に吹き付け、約１分間に渡り乾燥を行った後、各脱水籠８２，８２，……の回転を停止させ、開閉扉を開けて順次脱水籠８２，８２，……を送り動かしながら、スーパーカゴＢ，Ｂ，……を取り出して洗浄を完了する。                                                                          また、図１４および図１５に示した洗浄システム１を利用すると、予備洗浄に関しては前記作業内容と同様に行うことが可能であり、それに続く本洗浄および濯ぎ、脱水、乾燥を次のような手順で行うこととなる。
【００６０】
本洗浄は、図１５中に示された回転型洗浄機２の開閉扉３４をスライドさせて投入口３３を開放し、投入口３３に各洗浄籠５，５，……を、対応させるよう齣送りするように回転支軸４周りに移動させながら、各洗浄籠５，５，……に三個ずつスタッキングされたスーパーカゴＢ，Ｂ，……を、カゴの開口部分を遠心方向外側に向けた姿勢に投入し、開閉扉３４を閉鎖して洗浄浴室３を液密状とした後、給湯管６３から貯溜タンク６２中に供給、貯溜された６０℃前後の清水に適量の塩素系洗浄剤を添加した洗浄液Ｌを、ノズルを通じて洗浄浴室３内に供給し、同洗浄浴室３内を、回転支軸４の下側に回転移動された洗浄籠５が、液面下に没する程度の深さまで洗浄液Ｌで満たすと共に、図示しない回転駆動源によって洗浄籠５，５，……を回転支軸４の周りに正転駆動、逆転駆動を所定回数ずつ繰り返しながら毎分３０回転前後の速度で回転させ約１０分間前後に渡って本洗浄を行う。
【００６１】
本洗浄中は、循環型濾過装置６８が、洗浄浴室３内に供給された洗浄液Ｌをポンプ６６で濾過フィルター６７に圧送し、同濾過フィルター６７によって濾過された洗浄液Ｌを再度、洗浄浴室３内に吐出して循環、濾過し、常に洗浄浴室３内の洗浄液Ｌが清浄に保たれるように管理される。
【００６２】
本洗浄を終えると、回転駆動源による各洗浄籠５，５，……の回転を一旦停止させ、回収タンク６４の洗浄液Ｌの殆ど全てをポンプ６６で吸い上げ、濾過フィルター６７を通過させて貯溜タンク６２に濾過、回収することにより、洗浄浴室３内の洗浄液Ｌを殆ど空の状態まで回収してしまうか、あるいは、洗浄液Ｌが最利用できない程度まで汚れてしまった場合には、排出管８９を通じて排出し、適宜浄化処理を施す等して処分してしまい、排出管８９を開放した状態にして、各洗浄籠５，５，……を回転支軸４の軸心周りに正逆転を所定回数ずつ交互に繰り返しながら毎分３０回転程度の回転数で駆動させると同時に、高圧水ノズル８４，８４，……から５０℃ないし６０℃程度に加熱された清水を吹き付けて、本洗浄で付着した洗浄液Ｌを洗い流し、洗浄浴室３内の底部に流れ落ちた濯ぎ液は、排出管８９を通じて外部に排出されることとなり、この排水も適宜浄化処理して処分することとなる。
【００６３】
濯ぎを終えた後に、高圧水ノズル８４，８４，……からの濯ぎ液の吹き付けを停止させ、各洗浄籠５，５，……を、毎分１４０ないし２１０回転数で約２分間に渡り、正転あるいは逆転の何れか一方に高速回転させ、これによって発生する遠心力が、各スーパーカゴＢ，Ｂ，……に付着している濯ぎ液を吹き飛ばして脱水を行うこととなる。脱水を終えた洗浄籠５，５，……の回転速度を、毎分３０回転程度に低下させ、正転と逆転とを所定回数毎に繰り返すように駆動させながら、熱交換器８７に蒸気を供給して送風ファン８８を起動させることにより、風洞管路８３を通じて６０℃程度に加熱された温風を送り込み、回転する各洗浄籠５，５，……に温風を吹き付けて約１分間に渡り強制的に乾燥を行った後、熱交換器８７への蒸気の供給ならびに送風ファン８８を停止させ、開閉扉３４を開けて順次洗浄籠５，５，……を齣送り状に移動させながら、スーパーカゴＢ，Ｂ，……を取り出して一連の洗浄工程を完了する。
【００６４】
また、回転型洗浄機２の各洗浄籠５，５，……の配置構造は、図４中に示した六個を等間隔で配した構造に限定されず、図７ないし図１０に示すように三個四個、五個、八個、あるいは図示しない七個を、軸心周りに互いに等間隔となるよう配置させたものとすることが可能である外、図１１および図１２に示したように、洗浄籠５，５，……内に収容されるスーパーカゴＢ，Ｂ，……のスタッキング数や収納姿勢等を、回転バランスが確保できる範囲で、適宜変更したものとすることが可能である。
【００６５】
（実施例の効果）
実施例に取り上げた回転型洗浄機２は、この発明の前記した効果に加え、洗浄液加熱装置６１や、ポンプ６６と濾過フィルター６７とを有する循環型濾過装置６８を設けたことにより、洗浄液をスーパーカゴＢに変形や破損、変色を招くことのない６０℃程度の温度まで加熱して洗浄液Ｌ自体の洗浄力を高めると共に、本洗浄の進行中に循環濾過して清浄な状態を保つ構造として洗浄液Ｌの劣化を防ぎ、後に続く濯ぎの工程で使用する清水の使用量を削減できるものとする等、経済性の向上と自然環境に優しい洗浄作業を実現化することができる。
【００６６】
また、図１４および図１５に示したように、回転型洗浄機２に風洞管路８３を設け、その先端に温水供給管８５が接続された高圧水ノズル８４を配し、中途箇所に熱交換器（ラジエータ）８７を、基端側に送風ファン８８を夫々配設して温風供給源８６を形成し、本洗浄に続き濯ぎ、脱水、乾燥の工程も連続して実行可能な構造としたことにより、濯ぎ・脱水・乾燥機８を廃止することが可能となり、しかも本洗浄後の回転型洗浄機２からのスーパーカゴＢ，Ｂ，……の取出し作業、および続く濯ぎ・脱水・乾燥機８への投入作業を不要とし、更に迅速で作業効率に秀れたスーパーカゴの洗浄作業を実現可能とするものとなる。
【００６７】
（結  び）
叙述の如く、この発明の洗浄システム、およびそれに用いる回転型洗浄機、ならびにスーパーカゴの洗浄方法は、その新規な構成によって所期の目的を遍く達成可能とするものであり、しかも製造も容易で、比較的廉価にて市場提供可能であり、従前からの「カゴ自動洗浄装置」に比較して、洗浄コストも遥かに経済的なものとすることができる上、洗浄作業の効率自体も大幅に高めることができることから、費用の削減と洗浄作業に要する工数の短縮が実現でき、洗浄仕上がりの品質にも秀れたものであり、集客力の拡大とコスト削減とが求められるスーパーマーケットやショッピングセンターあるいはホームセンター等の大型店舗において高く評価されることとなって、広範に渡って利用、普及していくものになると予想される。                                                                                                
【図面の簡単な説明】
【００６８】
図面は、この発明の洗浄システム、およびそれに用いる回転型洗浄機、ならびにスーパーカゴの洗浄方法の技術的思想を具現化した代表的な実施例を示すものである。
【図１】洗浄システムの構成を示す斜視図である。
【図２】回転型洗浄機の内部構造を示す斜視図である。
【図３】回転型洗浄機の利用状態を示す斜視図である。
【図４】洗浄籠の配置構造を示す正面図である。
【図５】洗浄籠の配置構造を示す側面図である。
【図６】回転型洗浄機の付属設備を示す斜視図である。
【図７】三個の洗浄籠の配置例を示す正面図である。
【図８】四個の洗浄籠の配置例を示す正面図である。
【図９】五個の洗浄籠の配置例を示す正面図である。
【図１０】八個の洗浄籠の配置例を示す正面図である。
【図１１】四個の洗浄籠の別の配置例を示す正面図である。
【図１２】図１中の洗浄籠にスーパーカゴを投入する状態を示す斜視図である。
【図１３】濯ぎ・脱水・乾燥機の内部構造を示す斜視図である。
【図１４】洗浄システムの別の構成を示す斜視図である。
【図１５】濯ぎ脱水乾燥機能を追加した回転型洗浄機を示す斜視図である。
【符号の説明】
【００６９】
１      洗浄システム
２      回転型洗浄機
３      洗浄浴室
３１    同  下側本体
３２    同  箱状蓋
３３    同  投入口
３４    同  開閉扉
３５    同  覗き窓
４      回転支軸
４１    同  入力用ベルト車
５      洗浄籠
５１    同  開口部
５２    同  開閉扉
６      洗浄液供給源
６１    同  洗浄液加熱装置
６２    同  貯溜タンク
６３    同  給湯管
６４    同  回収タンク
６５    同  回収管路
６６    同  ポンプ
６７    同  濾過フィルター
６８    同  循環型濾過装置
７      予備洗浄機
７１    同  ブラシ掛け予備洗浄機
７２    同  洗浄機本体
７３    同  縦型回転ブラシ
７４    同  横型回転ブラシ
７５    同  洗浄液ノズル
７６    同  水圧予備洗浄機
７７    同  箱形本体
７８    同  回転ドラム
７９    同  高圧水ノズル
８      濯ぎ・脱水・乾燥機
８１    同  濯ぎ浴室
８２    同  脱水籠
８３    同  風洞管路
８４    同  高圧水ノズル
８５    同  温水供給管
８６    同  温風供給源
８７    同  ラジエータ（熱交換器）
８８    同  送風ファン
８９    同  排出管
Ｌ      洗浄液
Ｂ      スーパーカゴ（被洗浄物）
【図１】
2005052783.tif 000003
【図２】
2005052783.tif 000004
【図３】
2005052783.tif 000005
【図４】
2005052783.tif 000006
【図５】
2005052783.tif 000007
【図６】
2005052783.tif 000008
【図７】
2005052783.tif 000009
【図８】
2005052783.tif 000010
【図９】
2005052783.tif 000011
【図１０】
2005052783.tif 000012
【図１１】
2005052783.tif 000013
【図１２】
2005052783.tif 000014
【図１３】
2005052783.tif 000015
【図１４】
2005052783.tif 000016
【図１５】
2005052783.tif 000017